(57)【要約】      （修正有）【課題】室内で安全に利用可能な誘導ブロックを提供する。【解決手段】室内用誘導ブロックは、エチレン酢酸ビニル共重合体とエチレンプロピレンゴムを主体とするポリマーを射出成形して架橋発砲させ、低発泡体の成型品である平面部分１ｂ、２ｂの厚みを２ｍｍ以下とした、線状ブロック１、点状ブロック２からなる。誘導ブロックを柔らかいながらも薄くして室内の床面との段差を抑えることができる。誘導ブロックの表面に、蓄光顔料層を設け、誘導ブロックの裏面に、１ｍｍ以下の粘着層を設け、粘着層を離型紙で覆う。【選択図】図１
0003222211.tif 000002
【実用新案登録請求の範囲】
【請求項１】
エチレン酢酸ビニル共重合体とエチレンプロピレンゴムを主体とするポリマーを射出成形して架橋発泡させ、低発泡体の成型品である平面部分の厚みを２ｍｍ以下とした、線状ブロック、点状ブロックからなることを特徴とする室内用視覚障害者誘導ブロック。
【請求項２】
誘導ブロックの表面に、蓄光顔料層を設けたことを特徴とする請求項１記載の室内用視覚障害者誘導ブロック。
【請求項３】
誘導ブロックの裏面に、１ｍｍ以下の粘着層を設けたことを特徴とする請求項１又は２記載の室内用視覚障害者誘導ブロック。
【請求項４】
粘着層を離型紙で覆ってあることを特徴とする請求項３記載の室内用視覚障害者誘導ブロック。
【考案の詳細な説明】
【技術分野】
【０００１】
本考案は、居住スペース等の室内に設置して視覚障害者を安全に誘導するための視覚障害者誘導ブロックに関し、さらに詳しくは、エチレン酢酸ビニル共重合体とエチレンプロピレンゴムを主体とするポリマーを射出成形して架橋発泡させることにより得られるものに関する。
【背景技術】
【０００２】
視覚障害者用の誘導ブロックは、通常、エチレンプロピレンゴムやスチレンブタジエンゴムを主成分としている（例えば、特許文献１参照）。これに代わる素材として、エチレン酢酸ビニル共重合体樹脂を採用し、それをシート状にしたものも開発されている（例えば、特許文献２参照）。
【先行技術文献】
【特許文献】
【０００３】
【特許文献１】特開平３−１０５１１５号公報
【特許文献２】特開２００４−１９０４６２号公報
【考案の概要】
【考案が解決しようとする課題】
【０００４】
例えば特許文献１のエチレンプロピレンゴムやスチレンブタジエンゴムを主成分とする誘導ブロックは、Ｃ硬度で９０度程度と相当硬いので、視覚障害者が転んで怪我をするおそれがある。また、劣化しやすいという致命的欠点もある。これに対して、例えば引用文献２のエチレン酢酸ビニル共重合体樹脂を用いる場合には、エチレンプロピレンゴムやスチレンブタジエンゴムを主成分とする場合に比べて軟らかくすることができるので、前記欠点のないものとなる。
【０００５】
この引用文献２に記載された誘導ブロックは、エチレン酢酸ビニル共重合体樹脂からなるベースシートに、加硫ゴム板からなる円筒状の点状突起を仮止めし、その上に別の厚みのエチレン酢酸ビニル共重合体樹脂製の帆布シートからなる黄色の保護シートを重ね、金型を用いて高周波ウエルダーで融着加工して製造されている。したがって、製造工程が極めて複雑であり、結果的にコスト高となる。
【０００６】
さらに、従来の誘導ブロックは固い上に平面部分の厚さが５ｍｍ以上であり、居住スペース等の室内に設置すると床面との段差が大きく、視覚障害者などが躓き、転倒したり足を痛めたりすることがある。そして、屋外に設置されるように段差を無くすために床面のかさ上げや床面を切り欠く誘導ブロックの埋め込みなどの施工を行うとコスト高となる。
【０００７】
本考案は、柔らかいながらも薄くて丈夫な誘導ブロックを提供して、室内であっても安全に誘導ブロックを設置可能とするものである。
【課題を解決するための手段】
【０００８】
この目的を達成するために、本考案では、エチレン酢酸ビニル共重合体とエチレンプロピレンゴムを主体とするポリマーを射出成形して架橋発泡させ、低発泡体の成型品である平面部分の厚みを２ｍｍ以下とした、線状ブロック、点状ブロックからなる誘導ブロックとする。
【０００９】
誘導ブロックの表面に、蓄光顔料層を設けておくとよい。
【００１０】
誘導ブロックの裏面に、１ｍｍ以下の粘着層を設けておくことが望ましい。
【００１１】
粘着層を離型紙で覆っておくことが望ましい。
【考案の効果】
【００１２】
請求項１記載の考案によれば、居住スペース等の室内においても簡易に設置することができ、ポリマーの射出成形による架橋発泡という極めて簡単な工程により、軟らかいながらも薄く、かつ極めて軽い誘導ブロックを得ることができる。また、耐摩耗性、耐防滑性、耐寒性、耐候性、耐薬品性に優れているのみならず、屈曲に対しても強靭である。しかも、２ｍｍ以下の厚みにより形成されていることから使用者が躓いたりすることなく、設置個所を確認することができ、安全に使用することが可能になる。
【００１３】
請求項２記載の考案によれば、暗いところにおいても、誘導ブロックの表面を光らせることができるので、視覚健常者に対しても誘導可能とすることができる。
【００１４】
請求項３記載の考案によれば、誘導ブロックを置くだけで容易に敷設・固定することができるので、誘導ブロックの敷設・固定に極めて便利である。
【００１５】
請求項４記載の考案によれば、普段は通常の板状物として誘導ブロックを取り扱うことができるので、極めて便利であり、また、前記離型紙を剥がすだけで誘導ブロックを容易に設置することができるので、誘導ブロックの敷設・固定を極めて容易に行うことができる。
【図面の簡単な説明】
【００１６】
【図１】本考案に係る視覚障害者誘導ブロックを示し、（ａ）は線状ブロックの一例を、（ｂ）は点状ブロックの一例を示す。
【図２】図１（ａ）に示す線状ブロックの一部を拡大して示す断面図である。
【図３】図１（ａ）に示す線状ブロックと図１（ｂ）に示す点状ブロックとを組み合わせた使用状態を示す平面図である。
【考案を実施するための形態】
【００１７】
本考案に係る視覚障害者誘導ブロックの一例を、図面に基づいて詳細に説明する。視覚障害者誘導ブロックの中には、図１（ａ）に示す線状ブロック１と、図１（ｂ）に示す点状ブロック２とがあり、通常、図３に示すように両者を組み合わせて使用する。
【００１８】
線状ブロック１は、図１（ａ）に示すように、正方形の誘導ブロックの表面に複数の線状突起１ａ、１ａを互いに平行となるように形成した方向表示用のブロックで、主として、方向を示す場合に用いられる。線状突起１ａは１つの誘導ブロックに対して４本設けるように決められている。
【００１９】
また、点状ブロック２は、図１（ｂ）に示す正方形の誘導ブロックの表面に複数の点状突起２ａ、２ａを形成した位置表示用のブロックで、主として、注意すべき位置や誘導すべき位置を示す場合に用いられる。点状突起２ａは１つの誘導ブロックに対して２５個設けるように決められている。
【００２０】
本考案においては、エチレン酢酸ビニル共重合体（ＥＶＡ）とエチレンプロピレンゴム（ＥＰＲ）に架橋剤、発泡剤、安定剤その他多種類の化学剤を混合し、発泡比率を百：百数十に設定したポリマーを特殊専用射出機械により２００〜２５０℃程度の金型に高圧射出し、金型内で５〜７分程度架橋発泡させ、それを取り出した後、温度を下げかつ時間を短くする２段階の熱処理を施して収縮を安定させることにより、低発泡体の成形品である誘導ブロック（図１（ａ）の線状ブロック１と図１（ｂ）の点状ブロック２と）を得ることができる。すなわち、前記ポリマーを射出成形して架橋発泡させるという極めて簡単な工程により、誘導ブロックの表面に平行な４本の線状突起１ａ、１ａを有する線状ブロック１と、誘導ブロックの表面に２５個の点状突起２ａ、２ａを有する点状ブロック２とを得ることができる。
【００２１】
このように、ポリマーの射出成形による架橋発泡という極めて簡単な工程により、比較的軟らかく、かつ極めて軽い線状ブロック１と点状ブロック２とを容易に得ることができる。また、耐摩耗性、耐防滑性、耐寒性、耐候性、耐薬品性に優れているのみならず、屈曲に対しても強靭である。屈曲試験については、１８０度の屈曲試験１０万回にも破けず全く異常のない薄いながらも強靭なものとすることができる。線状ブロック１と点状ブロック２の表面をざらざらの状態にすると、より滑りにくいものとなる。
【００２２】
上述したように、エチレン酢酸ビニル共重合体（ＥＶＡ）とエチレンプロピレンゴム（ＥＰＲ）を主体とするポリマーを射出成形して架橋発泡させ、低発泡体の成型品である線状ブロック１と点状ブロック２とした場合には、線状、点状部分１ａ、２ａはＣ硬度で７５〜８０度程度、平面部分１ｂ、２ｂはＣ硬度で７５〜８０度程度となる。従来のエチレンプロピレンゴムやスチレンブタジエンゴムを主成分とする誘導ブロックがＣ硬度で９０度程度と相当硬いのに比べて、軟らかいものとなる。そして、誘導ブロックの平面部分１ｂ、２ｂのＣ硬度を７５〜８０度程度することにより２ｍｍ以下にまで薄くしても破けることがない。
【００２３】
なお、線状ブロック１形成用の金型の内面形状と点状ブロック２形成用の金型の内面形状は、両ブロック１、２の外面形状が異なることから、当然異なっており、それぞれの金型を用いて線状ブロック１と点状ブロック２を製造することができる。
【００２４】
ここには、図２に示すように、線状ブロック１の表面全体にわたって、蓄光顔料層３を設けた場合が例示されている。図示はしないが、点状ブロック２の表面にも全体にわたって、蓄光顔料層３を設けることができる。このようにした場合には、暗いところにおいても、線状ブロック１及び点状ブロック２の表面を光らせることができるので、視覚健常者に対しても誘導可能である。なお、線状ブロック１及び点状ブロック２の表面全体に蓄光顔料層３をコーティングすれば、線状ブロック１及び点状ブロック２の表面全体にわたって、蓄光顔料層３を容易に設けることができる。
【００２５】
また、ここには、同じく図２に示すように、線状ブロック１の裏面全体にわたって、１ｍｍ以下とする粘着層４を設けた場合が例示されている。図示はしないが、点状ブロック２の裏面にも全体にわたって、この粘着層４を設けることができる。両ブロック１、２の裏面に粘着層４が設けられておれば、それらを置くだけで線状ブロック１及び点状ブロック２を容易に敷設・固定することができる。粘着層４を１ｍｍ以下とすることにより、室内の床面との段差を抑えて掃除などによるずれを防止することができる。粘着層４は接着剤や両面テープの他、面ファスナーなどであってもよい。面ファスナーとすることにより絨毯などに係合させて、絨毯などを傷めずに設置することができる。
【００２６】
さらに、ここには、同じく図２に示すように、粘着層４を離型紙５で覆った場合が例示されている。粘着層４が離型紙５で覆われていると、普段は線状ブロック１及び点状ブロック２を通常の板状物として取り扱うことができ、線状ブロック１及び点状ブロック２を設置する際に離型紙５を剥がせば良い。離型紙５を剥がすだけで、線状ブロック１及び点状ブロック２を容易に敷設・固定することができる。
【符号の説明】
【００２７】
１…線状ブロック、１ａ…線状突起、１ｂ…平面部分、２…点状ブロック、２ａ…点状突起、２ｂ…平面部分、３…蓄光顔料層、４…粘着層、５…離型紙。
【図１】
0003222211.tif 000003
【図２】
0003222211.tif 000004
【図３】
0003222211.tif 000005